(57)【要約】【課題】バッテリを交換した際の立ち上げ時間を短縮化することができる電子カセッテおよび電子カセッテの作動方法を提供する。【解決手段】電子カセッテ１０は、バッテリ装着部３６に着脱自在に装着されるメインバッテリ１９と、メインバッテリ１９の代わりにバイアス電源回路５０等に電力を供給するためのサブバッテリ２０とを有する。供給元制御部７０は、メインバッテリ１９の交換作業が開始されたと判定した場合に、電力の供給元をメインバッテリ１９からサブバッテリ２０に切り替える。バイアス電源回路５０への電力供給が継続され、光電変換部４４にはバイアス電圧が切れ目なく印加され続けるので、主電源オン後の光電変換部安定化処理およびオフセット補正用画像検出処理を行う必要がなく、立ち上げ時間ＴＲ２が大幅に短縮化される。【選択図】図１１
2018066746.tif 000002
【特許請求の範囲】
【請求項１】
被写体を透過した放射線に基づき前記被写体の放射線画像を検出するための画素を有する画像検出部と、
前記画像検出部を収容する可搬型の筐体と、
前記画素を構成し、前記放射線から変換された可視光に感応して電荷を発生し、発生した電荷を蓄積する光電変換部と、
前記光電変換部にバイアス電圧を印加するバイアス電源回路と、
前記筐体に着脱自在に装着され、各部に電力を供給するためのメインバッテリと、
前記メインバッテリの代わりに、前記バイアス電源回路に電力を供給するためのサブバッテリと、
前記メインバッテリが取り外されて前記メインバッテリからの電力の供給が完全に途絶える前に開始される作業である、前記メインバッテリの取り外し作業が開始された後に、電力の供給元を前記メインバッテリから前記サブバッテリに切り替える供給元制御部とを備える電子カセッテ。
【請求項２】
前記取り外し作業が開始されたか否かを検知する取り外し検知部を備え、
前記供給元制御部は、前記取り外し検知部が前記取り外し作業の開始を検知した場合に、前記供給元を前記サブバッテリに切り替える請求項１に記載の電子カセッテ。
【請求項３】
前記メインバッテリを前記筐体に固定して前記メインバッテリの前記筐体からの脱落を防止し、かつ前記メインバッテリの前記筐体への固定を解除する脱落防止および解除機構が設けられ、
前記取り外し検知部は、前記メインバッテリの前記筐体への固定を解除するための解除操作が前記脱落防止および解除機構に対してなされたか否かを検知し、前記解除操作がなされた場合に前記取り外し作業が開始されたと検知する請求項２に記載の電子カセッテ。
【請求項４】
操作に応じて主電源がオンまたはオフされる主電源スイッチと、
前記主電源スイッチがオフされてからの第１経過時間を計時する第１タイマとを備え、
前記供給元制御部は、前記主電源スイッチがオフされた後、前記第１経過時間が予め定められた第１設定時間に達するまでの間は前記メインバッテリからの電力の供給を継続させ、前記取り外し検知部が前記取り外し作業の開始を検知しない場合でも、前記第１経過時間が前記第１設定時間に達した以降は前記メインバッテリからの電力の供給を停止させる請求項２または３に記載の電子カセッテ。
【請求項５】
操作に応じて主電源がオンまたはオフされる主電源スイッチを備え、
前記供給元制御部は、前記主電源スイッチがオフされた場合に前記取り外し作業が開始されたと判定し、前記供給元を前記サブバッテリに切り替える請求項１に記載の電子カセッテ。
【請求項６】
前記供給元制御部が前記供給元を前記サブバッテリに切り替えてからの第２経過時間を計時する第２タイマを備え、
前記供給元制御部は、前記第２経過時間が予め定められた第２設定時間に達するまでの間は前記サブバッテリからの電力の供給を継続させ、前記第２経過時間が前記第２設定時間に達した場合は前記サブバッテリからの電力の供給を停止させる請求項１ないし５のいずれか１項に記載の電子カセッテ。
【請求項７】
前記供給元制御部は、前記サブバッテリからの電力の供給を行っている間に、主電源がオンされた場合には、前記供給元を前記メインバッテリに切り替える請求項１ないし６のいずれか１項に記載の電子カセッテ。
【請求項８】
前記画素は、前記光電変換部と、前記光電変換部に接続され、電荷を読み出すためのスイッチング素子とで構成され、
前記スイッチング素子を駆動する駆動回路と、
前記駆動回路に前記スイッチング素子の駆動電圧を供給する第１電源回路とを備え、
前記第１電源回路にも前記サブバッテリから電力が供給される請求項１ないし７のいずれか１項に記載の電子カセッテ。
【請求項９】
前記放射線画像を構成する画像信号に電荷を変換する信号処理部と、
前記信号処理部に駆動電圧を供給する第２電源回路とを備え、
前記第２電源回路にも前記サブバッテリから電力が供給される請求項１ないし８のいずれか１項に記載の電子カセッテ。
【請求項１０】
前記筐体に与えられた衝撃を検知する衝撃検知センサ、前記衝撃検知センサの出力を記憶する記憶部、および前記記憶部への前記衝撃検知センサの出力の記憶を制御する記憶制御部を有する衝撃履歴取得部を備える請求項１ないし９のいずれか１項に記載の電子カセッテ。
【請求項１１】
前記記憶部および前記記憶制御部にも前記サブバッテリから電力が供給される請求項１０に記載の電子カセッテ。
【請求項１２】
前記衝撃履歴取得部を構成する前記衝撃検知センサ、前記記憶部、および前記記憶制御部に駆動電力を供給する第３電源回路を備え、
前記第３電源回路に前記サブバッテリから電力が供給される請求項１０または１１に記載の電子カセッテ。
【請求項１３】
前記記憶制御部は、前記衝撃検知センサの出力が予め定められた閾値以上であった場合に、前記衝撃検知センサの出力または時間の少なくとも一方に基づく履歴を前記記憶部に記憶させる請求項１０ないし１２のいずれか１項に記載の電子カセッテ。
【請求項１４】
前記記憶部に記憶された前記履歴に基づく警告を表示するインジケータを備える請求項１３に記載の電子カセッテ。
【請求項１５】
前記記憶部に記憶された前記履歴を外部装置に送信する通信部を備える請求項１３または１４に記載の電子カセッテ。
【請求項１６】
前記メインバッテリの電力で前記サブバッテリを充電する充電回路を備える請求項１ないし１５のいずれか１項に記載の電子カセッテ。
【請求項１７】
被写体を透過した放射線に基づき前記被写体の放射線画像を検出するための画素を有する画像検出部と、
前記画像検出部を収容する可搬型の筐体と、
前記画素を構成し、前記放射線から変換された可視光に感応して電荷を発生し、発生した電荷を蓄積する光電変換部と、
前記光電変換部にバイアス電圧を印加するバイアス電源回路と、
前記筐体に着脱自在に装着され、各部に電力を供給するためのメインバッテリと、
前記メインバッテリの代わりに、前記バイアス電源回路に電力を供給するためのサブバッテリとを備える電子カセッテの作動方法であって、
前記メインバッテリが取り外されて前記メインバッテリからの電力の供給が完全に途絶える前に開始される作業である、前記メインバッテリの取り外し作業が開始された後に、電力の供給元を前記メインバッテリから前記サブバッテリに切り替える供給元制御ステップとを備える電子カセッテの作動方法。
【発明の詳細な説明】
【技術分野】
【０００１】
本発明は、放射線撮影に用いられる電子カセッテおよび電子カセッテの作動方法に関する。
【背景技術】
【０００２】
医療用放射線撮影、例えばＸ線撮影において、電子カセッテが広く利用されている。電子カセッテは、可搬型の筐体内に、患者等の被写体のＸ線画像を検出する画像検出部（フラットパネルディテクタ（ＦＰＤ；flat panel detector）ともいう）を収容した構成である。
【０００３】
画像検出部は、例えば、Ｘ線を可視光に変換して放出するシンチレータと、シンチレータから放出された可視光を検出して電気信号に変換する光検出基板とで構成される。光検出基板には複数の画素が二次元状に配列されている。画素は、可視光に感応して電荷を発生し、これを蓄積する光電変換部と、光電変換部に接続され、光電変換部に蓄積された電荷を読み出すためのＴＦＴ（Thin Film Transistor）等のスイッチング素子とで構成される。光電変換部にはバイアス電源回路からバイアス電圧が印加される。
【０００４】
電子カセッテには、特許文献１に記載されているように、電子カセッテの動作を制御する制御装置等の外部機器と無線通信する無線通信部と、電子カセッテを駆動する電力を供給するためのバッテリとを備え、いわゆるケーブルレスで使用することが可能なものがある。特許文献１では、バッテリからバイアス電源回路等の電子カセッテの各部に電力を供給している。
【０００５】
バッテリは、特許文献２に記載されているように、筐体に着脱自在に装着される。バッテリの容量が残り少なくなった場合は、放射線技師等のオペレータによって当該バッテリが筐体から取り外され、充電済みのバッテリと交換される。
【０００６】
また、特許文献１には、電子カセッテの使用環境等に起因する固定パターンノイズの影響をＸ線画像から除去するオフセット補正を行うことが記載されている。オフセット補正は、周知のように、Ｘ線が照射されない状態で画像検出部に画像を検出させてこれをオフセット補正用画像とし、被写体を透過したＸ線に基づき検出したＸ線画像からオフセット補正用画像を画素単位で差し引く補正処理である。
【先行技術文献】
【特許文献】
【０００７】
【特許文献１】特開２０１４−１６００４６号公報
【特許文献２】特開２０１４−１４２３５５号公報
【発明の概要】
【発明が解決しようとする課題】
【０００８】
交換のために筐体からバッテリが取り外された場合は、バイアス電源回路およびその他の各部には当然ながら電力は供給されず、光電変換部にはバイアス電圧は印加されない。このため、バッテリの交換が済んで電子カセッテの主電源がオンされてから、Ｘ線撮影が可能な撮影準備完了状態になるまでの立ち上げ時間が非常に長く掛かっていた。というのは、バイアス電圧の印加が一旦途絶えた場合は、バイアス電圧の印加が再開されたときに、オフセット補正用画像を検出し直す必要があり、このオフセット補正用画像を正確に検出するために、光電変換部の動作を安定化させるための時間がかなり必要となるからである。
【０００９】
例えばＸ線撮影の途中でバッテリを交換した場合は、立ち上げ時間が長く掛かるとＸ線撮影の再開にも相応の時間が掛かるため、被写体に無用なストレスを与え、また、撮影効率の低下を招いていた。したがって、バッテリを交換した際の立ち上げ時間の短縮化が求められていた。
【００１０】
本発明は、上記課題を鑑みてなされたもので、バッテリを交換した際の立ち上げ時間を短縮化することができる電子カセッテおよび電子カセッテの作動方法を提供することを目的とする。
【課題を解決するための手段】
【００１１】
上記目的を達成するために、本発明の電子カセッテは、被写体を透過した放射線に基づき被写体の放射線画像を検出するための画素を有する画像検出部と、画像検出部を収容する可搬型の筐体と、画素を構成し、放射線から変換された可視光に感応して電荷を発生し、発生した電荷を蓄積する光電変換部と、光電変換部にバイアス電圧を印加するバイアス電源回路と、筐体に着脱自在に装着され、各部に電力を供給するためのメインバッテリと、メインバッテリの代わりに少なくともバイアス電源回路に電力を供給するためのサブバッテリと、メインバッテリの交換作業が開始されたか否かを判定し、交換作業が開始されたと判定した場合に、電力の供給元をメインバッテリからサブバッテリに切り替える供給元制御部とを備える。
【００１２】
筐体からメインバッテリを取り外す取り外し作業が開始されたか否かを検知する取り外し検知部を備え、供給元制御部は、取り外し検知部が取り外し作業の開始を検知した場合に交換作業が開始されたと判定し、供給元をサブバッテリに切り替えることが好ましい。
【００１３】
主電源のオン／オフを操作する主電源スイッチと、主電源スイッチがオフされてからの第１経過時間を計時する第１タイマとを備え、供給元制御部は、主電源スイッチがオフされた後、第１経過時間が予め定められた第１設定時間に達するまでの間はメインバッテリからの電力の供給を継続させ、取り外し検知部が取り外し作業の開始を検知しない場合でも、第１経過時間が第１設定時間に達した以降はメインバッテリからの電力の供給を停止させることが好ましい。
【００１４】
あるいは、主電源のオン／オフを操作する主電源スイッチを備え、供給元制御部は、主電源スイッチがオフされた場合に交換作業が開始されたと判定し、供給元をサブバッテリに切り替えることが好ましい。
【００１５】
供給元制御部が供給元をサブバッテリに切り替えてからの第２経過時間を計時する第２タイマを備え、供給元制御部は、第２経過時間が予め定められた第２設定時間に達するまでの間はサブバッテリからの電力の供給を継続させ、第２経過時間が第２設定時間に達した場合はサブバッテリからの電力の供給を停止させることが好ましい。
【００１６】
また、供給元制御部は、サブバッテリからの電力の供給を行っている間に、主電源がオンされた場合には、供給元をメインバッテリに切り替えることが好ましい。
【００１７】
画素は、光電変換部と、光電変換部に接続され、電荷を読み出すためのスイッチング素子とで構成され、スイッチング素子を駆動する駆動回路と、駆動回路にスイッチング素子の駆動電圧を供給する第１電源回路とを備え、第１電源回路にもサブバッテリから電力が供給されることが好ましい。
【００１８】
放射線画像を構成する画像信号に電荷を変換する信号処理部と、信号処理部に駆動電圧を供給する第２電源回路とを備え、第２電源回路にもサブバッテリから電力が供給されることが好ましい。
【００１９】
筐体に与えられた衝撃を検知する衝撃検知センサ、衝撃検知センサの出力を記憶する記憶部、および記憶部への衝撃検知センサの出力の記憶を制御する記憶制御部を有する衝撃履歴取得部と、衝撃履歴取得部に駆動電圧を供給する第３電源回路とを備え、第３電源回路にもサブバッテリから電力が供給されることが好ましい。
【００２０】
メインバッテリの電力でサブバッテリを充電する充電回路を備えることが好ましい。
【００２１】
本発明の電子カセッテの作動方法は、被写体を透過した放射線に基づき被写体の放射線画像を検出するための画素を有する画像検出部と、画像検出部を収容する可搬型の筐体と、画素を構成し、放射線から変換された可視光に感応して電荷を発生し、発生した電荷を蓄積する光電変換部と、光電変換部にバイアス電圧を印加するバイアス電源回路と、筐体に着脱自在に装着され、各部に電力を供給するためのメインバッテリと、メインバッテリの代わりに少なくともバイアス電源回路に電力を供給するためのサブバッテリとを備える電子カセッテの作動方法であって、メインバッテリの交換作業が開始されたか否かを判定する判定ステップと、判定ステップで交換作業が開始されたと判定した場合に、電力の供給元をメインバッテリからサブバッテリに切り替える供給元制御ステップとを備える。
【発明の効果】
【００２２】
本発明によれば、筐体に着脱自在に装着され、各部に電力を供給するためのメインバッテリとは別に、メインバッテリの代わりに少なくともバイアス電源回路に電力を供給するためのサブバッテリを設け、メインバッテリの交換作業が開始されたと判定した場合に、電力の供給元をメインバッテリからサブバッテリに切り替えるので、メインバッテリを交換する間もバイアス電圧が光電変換部に印加される。このため、メインバッテリの交換が済んで主電源がオンされたときに、光電変換部の動作を安定化させるための時間、およびオフセット補正用画像を検出し直す時間が必要なくなる。したがって、バッテリを交換した際の立ち上げ時間を短縮化することができる電子カセッテおよび電子カセッテの作動方法を提供することができる。
【図面の簡単な説明】
【００２３】
【図１】前面側から見た電子カセッテの外観斜視図である。
【図２】背面側から見た電子カセッテの外観斜視図である。
【図３】電子カセッテの電気的構成を示すブロック図である。
【図４】Ｘ線画像に対して、オフセット補正等の各種補正処理を施す補正部を示す図である。
【図５】撮影準備処理の概要を示す図である。
【図６】給電部を示すブロック図である。
【図７】メインバッテリから電力を供給する場合を示す図である。
【図８】サブバッテリから電力を供給する場合を示す図である。
【図９】電子カセッテの動作を示すフローチャートである。
【図１０】メインバッテリの交換以外の意図でメインバッテリが取り外された場合の電子カセッテの動作を示すタイミングチャートである。
【図１１】メインバッテリの交換を意図してメインバッテリが取り外された場合の電子カセッテの動作を示すタイミングチャートである。
【図１２】主電源スイッチが設けられた第２実施形態の給電部を示す図である。
【図１３】第２実施形態の電子カセッテの動作を示すフローチャートである。
【図１４】第２実施形態のメインバッテリの交換以外の意図で主電源スイッチがオフされた場合の電子カセッテの動作を示すタイミングチャートである。
【図１５】第２実施形態のメインバッテリの交換を意図して主電源スイッチがオフされた場合の電子カセッテの動作を示すタイミングチャートである。
【図１６】主電源スイッチが設けられた第３実施形態の給電部を示す図である。
【図１７】衝撃履歴取得部が設けられた第４実施形態の電子カセッテの電気的構成を示すブロック図である。
【図１８】衝撃履歴取得部を示すブロック図である。
【図１９】第４実施形態のサブバッテリから電力を供給する場合を示す図である。
【発明を実施するための形態】
【００２４】
［第１実施形態］
図１および図２において、電子カセッテ１０は、例えば医療用Ｘ線撮影に利用されるもので、画像検出部１５と、回路基板１６と、無線通信部１７と、メス型コネクタ１８と、メインバッテリ１９と、サブバッテリ２０と、これらを収納する直方体形状をした可搬型の筐体２１とで構成される。
【００２５】
筐体２１は、Ｘ線が入射する前面２２、前面２２と対向する背面２３、および４つの側面２４、２５、２６、２７で構成される直方体形状を有する。筐体２１は例えば導電性樹脂で形成され、電子カセッテ１０への電磁ノイズの侵入、および電子カセッテ１０から外部への電磁ノイズの放射を防止する電磁シールドとしても機能する。筐体２１は、例えば、フイルムカセッテやＩＰ（Imaging Plate）カセッテ、ＣＲ（Computed Radiography）カセッテと略同様の、国際規格ＩＳＯ（International Organization for Standardization）４０９０：２００１に準拠した大きさである。
【００２６】
電子カセッテ１０は、Ｘ線を照射するＸ線源と前面２２が対向する姿勢で保持されるよう、立位撮影台や臥位撮影台のホルダに着脱自在にセットされる。また、電子カセッテ１０は、立位撮影台や臥位撮影台のホルダにセットされる他に、ベッドに仰臥する被写体、あるいは高齢者や急病人等自力で動けない被写体に対して単体で使用されることもある。さらに筐体２１がフイルムカセッテやＩＰカセッテ、ＣＲカセッテと略同様の大きさである場合は、電子カセッテ１０はこれらのカセッテ用の既存の撮影台にも取り付け可能である。
【００２７】
前面２２には矩形状の開口が形成されており、開口には透過板２８が取り付けられている。透過板２８は、軽量で剛性が高く、かつＸ線透過性が高いカーボン材料で形成されている。なお、筐体２１には、この他にも主電源のオン／オフやメインバッテリ１９の容量、撮影準備完了状態といった電子カセッテ１０の動作状態を報せるためのＬＥＤ（Light Emitting Diode）等のインジケータ（図示せず）が設けられている。
【００２８】
画像検出部１５は、シンチレータ３０と光検出基板３１とで構成される。シンチレータ３０と光検出基板３１は、Ｘ線が入射する前面２２側からみてシンチレータ３０、光検出基板３１の順に積層されている。シンチレータ３０は、ＣｓＩ：Ｔｌ（タリウム賦活ヨウ化セシウム）やＧＯＳ（Ｇｄ2Ｏ2Ｓ：Ｔｂ、テルビウム賦活ガドリウムオキシサルファイド）等の蛍光体を有し、透過板２８を介して入射したＸ線を可視光に変換して放出する。
【００２９】
光検出基板３１は、シンチレータ３０から放出された可視光を検出して電気信号に変換する。回路基板１６は、光検出基板３１の駆動を制御するとともに、光検出基板３１から出力された電気信号に基づきＸ線画像を生成する。
【００３０】
無線通信部１７は、側面２５と側面２６が交差する角部と、この角部の対角の側面２４と側面２７が交差する角部とに１つずつ、計２つ設けられている。無線通信部１７は、電波透過性を有する樹脂等の非導電性材料で形成されたカバー３２で覆われている。無線通信部１７は、電子カセッテ１０の動作を制御する制御装置（図示せず）とＸ線画像等の各種情報を無線通信する。無線通信部１７を使用した場合には、電子カセッテ１０はメインバッテリ１９からの電力で駆動し、いわゆるケーブルレスで使用することが可能である。
【００３１】
メス型コネクタ１８は側面２７に設けられている。メス型コネクタ１８は制御装置と有線通信するための機能である。メス型コネクタ１８には、オス型コネクタ３３が接続される。オス型コネクタ３３には、電子カセッテ１０と制御装置を有線接続するためのケーブル３４の一端が接続される。ケーブル３４の他端は、制御装置に接続するコネクタ（図示せず）に接続されている。メス型コネクタ１８は、無線通信機能の使用中等、オス型コネクタ３３が接続されないときには蓋３５で覆われて保護される。
【００３２】
電子カセッテ１０は、メス型コネクタ１８を介して、制御装置から各種情報だけでなく電力の供給も受ける。電子カセッテ１０は、メス型コネクタ１８とオス型コネクタ３３が接続された場合、制御装置からの電力で駆動する。
【００３３】
メインバッテリ１９は、充電可能な二次電池で構成される。メインバッテリ１９は、給電部５９（図３参照）を通じて電子カセッテ１２の各部に電力を供給する。背面２３の中央部分には、メインバッテリ１９が着脱自在に装着されるバッテリ装着部３６が設けられている。図２ではメインバッテリ１９がバッテリ装着部３６に装着された状態を示している。なお、図示は省略するが、バッテリ装着部３６には、メインバッテリ１９をバッテリ装着部３６に固定してメインバッテリ１９の脱落を防止し、かつこれを解除する、特許文献２に記載のロック機構およびロック解除機構のような周知の脱落防止／解除機構が設けられている。
【００３４】
電子カセッテ１０の主電源のオン／オフは、バッテリ装着部３６へのメインバッテリ１９の着脱と連動している。具体的には、メインバッテリ１９がバッテリ装着部３６から取り外されたときに主電源がオフされ、メインバッテリ１９がバッテリ装着部３６に装着されたときに主電源がオンされる。
【００３５】
サブバッテリ２０は、筐体２１に内蔵される。サブバッテリ２０は、メインバッテリ１９の交換作業が開始された場合に、メインバッテリ１９の代わりに給電部５９を通じてバイアス電源回路５０（図３参照）等に電力を供給する。サブバッテリ２０は、メインバッテリ１９と同様に充電可能な二次電池で構成される。サブバッテリ２０は、二次電池の他、例えば電気二重層コンデンサ、リチウムイオンキャパシタ等の充電可能な蓄電素子で構成してもよい。
【００３６】
図３において、光検出基板３１は、ガラス基板（図示せず）上に、Ｎ行×Ｍ列の２次元マトリクス状に配列された画素４０と、Ｎ本の走査線４１と、Ｍ本の信号線４２とが設けられたものである。走査線４１は、画素４０の行方向に沿うＸ方向に延伸し、かつ画素４０の列方向に沿うＹ方向に所定のピッチで配置されている。信号線４２は、Ｙ方向に延伸し、かつＸ方向に所定のピッチで配置されている。走査線４１と信号線４２とは直交しており、走査線４１と信号線４２の交差点に対応して画素４０が設けられている。なお、Ｎ、Ｍは２以上の整数であり、例えばＮ、Ｍ≒２０００である。また、画素４０の配列は、本例のように正方配列でなくともよく、ハニカム配列でもよい。
【００３７】
各画素４０は、周知のように、可視光の入射によって電荷（電子−正孔対）を発生してこれを蓄積する光電変換部４４、およびスイッチング素子であるＴＦＴ４５を備える。光電変換部４４は、電荷を発生する半導体層とその上下に上部電極および下部電極を配した構造を有している。半導体層は例えばＰＩＮ（p-intrinsic-n）型であり、上部電極側にＮ型層、下部電極側にＰ型層が形成されている。ＴＦＴ４５は、ゲート電極が走査線４１に、ソース電極が信号線４２に、ドレイン電極が光電変換部４４の下部電極にそれぞれ接続されている。
【００３８】
光電変換部４４の上部電極にはバイアス線４６が接続されている。バイアス線４６は画素４０の列数分（Ｍ列分）設けられて１本の母線４７に接続されている。母線４７はバイアス電源回路５０に繋がれている。母線４７とその子線のバイアス線４６を通じて、バイアス電源回路５０から光電変換部４４の上部電極に正のバイアス電圧が印加される。正のバイアス電圧の印加により半導体層内に電界が生じる。光電変換部４４は逆バイアスの状態で使用される。光電変換により半導体層内で発生した電子−正孔対のうちの電子は、上部電極に移動してバイアス線４６に吸収され、正孔は、下部電極に移動して電荷として収集される。
【００３９】
回路基板１６には、前述のバイアス電源回路５０と、走査回路５５と、信号処理部５６と、メモリ５７と、電源回路５８と、給電部５９と、これらを制御する制御部６０とが設けられている。
【００４０】
走査回路５５は、各走査線４１の端部に接続され、ＴＦＴ４５を駆動するためのゲートパルスＧ（Ｋ）（Ｋ＝１〜Ｎ）を発する。走査回路５５は駆動回路に相当し、ゲートパルスＧ（Ｋ）は駆動電圧に相当する。制御部６０は、走査回路５５を通じてＴＦＴ４５を駆動することにより、画素４０から暗電荷を読み出してリセット（破棄）する画素リセット動作と、Ｘ線の到達線量に応じた電荷を画素４０に蓄積させる蓄積動作と、画素４０から電荷を読み出す画像読み出し動作とを画像検出部１５に行わせる。
【００４１】
画素リセット動作および画像読み出し動作では、走査回路５５により、各走査線４１に順にゲートパルスＧ（Ｋ）が与えられ、各走査線４１に接続されたＴＦＴ４５が１行ずつ順次オン状態とされる。蓄積動作では、走査回路５５からゲートパルスＧ（Ｋ）は与えられず、ＴＦＴ４５はオフ状態とされる。
【００４２】
信号処理部５６は、各信号線４２の端部に接続されている。信号処理部５６は、積分アンプ、ゲインアンプ、ＣＤＳ（Correlated Double Sampling）回路、マルチプレクサ、およびＡ／Ｄ（Analog-to-Digital）変換器（いずれも不図示）を有する。
【００４３】
積分アンプは、信号線４２から入力される電荷を蓄積して積算し、積算した電荷に対応するアナログの電圧値（画像信号）を出力する。積分アンプはアンプリセットスイッチを有する。このアンプリセットスイッチをオン状態とすることで、積分アンプに蓄積された電荷がリセット（破棄）される。画素リセット動作では、積分アンプから画像信号が出力されることなく電荷がリセットされる。画像読み出し動作では、積分アンプから電荷に対応する画像信号が出力された後、アンプリセットスイッチがオン状態となり電荷がリセットされる。
【００４４】
ゲインアンプは、積分アンプから出力された画像信号を所定のゲイン値で増幅する。ＣＤＳ回路は、ゲインアンプにより増幅された画像信号に対して周知の相関二重サンプリング処理を施し、画像信号から積分アンプのリセットノイズ成分を除去する。積分アンプ、ゲインアンプ、およびＣＤＳ回路は、Ｍ本の信号線４２毎に設けられている。
【００４５】
マルチプレクサは、１列目からＭ列目のＣＤＳ回路を１つずつ順番に選択し、Ａ／Ｄ変換器に各ＣＤＳ回路から出力される画像信号をシリアルに入力する。Ａ／Ｄ変換器は、入力された画像信号に対してＡ／Ｄ変換処理を行い、デジタルの画像信号を出力する。Ａ／Ｄ変換器から出力されたデジタルの画像信号は、Ｘ線画像としてメモリ５７に記憶される。
【００４６】
電源回路５８は、走査回路５５にゲートパルスＧ（Ｋ）を供給する。また、電源回路５８は、信号処理部５６に駆動電圧を供給する。すなわち電源回路５８は、第１電源回路および第２電源回路に相当する。なお、図示は省略するが、電源回路５８は、無線通信部１７やメモリ５７、制御部６０等の、走査回路５５および信号処理部５６以外の周辺電気回路にも駆動電圧を供給する。
【００４７】
給電部５９には、各バッテリ１９、２０と取り外し検知部６１が接続されている。給電部５９は、メインバッテリ１９またはサブバッテリ２０からの電力を、バイアス電源回路５０、電源回路５８をはじめとした電子カセッテ１０の各部に供給する。給電部５９は、各バッテリ１９、２０からの直流電圧を、供給先に応じた値の電圧に変換するＤＣ（Direct Current）−ＤＣコンバータや、変換した電圧の値を安定化させる電圧安定化回路等で構成される。なお、図示は省略するが、給電部５９にはメス型コネクタ１８も接続されており、メス型コネクタ１８とオス型コネクタ３３が接続された場合には、給電部５９は、メス型コネクタ１８を介して制御装置からの電力を受け、制御装置からの電力を各部に供給する。
【００４８】
取り外し検知部６１は、バッテリ装着部３６からメインバッテリ１９を取り外す取り外し作業が開始されたか否かを検知する。取り外し検知部６１は、例えば、バッテリ装着部３６の脱落防止／解除機構に対して、オペレータにより解除操作がされたか否かを検知するマイクロスイッチやフォトセンサで構成される。脱落防止／解除機構に対して解除操作がされた場合、取り外し検知部６１は、取り外し作業が開始されたことを示す検知信号を給電部５９に出力する。
【００４９】
制御部６０は、メモリ５７に記憶されたＸ線画像を、無線通信部１７またはメス型コネクタ１８に出力する。また、制御部６０は、無線通信部１７またはメス型コネクタ１８を介して入力される制御装置からの各種情報を受け取り、各種情報に応じた制御を行う。例えば、制御部６０は、各種情報としてＸ線撮影の撮影条件を受け取り、撮影条件に応じて信号処理部５６のゲインアンプのゲイン値を変更したり、撮影条件に含まれるＸ線の照射時間に応じて画像読み出し動作の開始タイミングを制御したりする。
【００５０】
図４において、制御部６０には、メモリ５７に記憶されたＸ線画像に対して、オフセット補正、感度補正、および欠陥画素補正の各種補正処理を施す補正部６５、６６、６７が設けられている。各補正部６５〜６７は、メモリ５７にアクセスしてＸ線画像を読み出し、Ｘ線画像に各種補正処理を施した後、処理済みのＸ線画像をメモリ５７に書き戻す。
【００５１】
オフセット補正部６５は、Ｘ線が照射されない状態で制御部６０が画像検出部１５に画像読み出し動作を行わせて検出したオフセット補正用画像を、Ｘ線画像から画素単位で差し引くことで、信号処理部５６の個体差や電子カセッテ１０の使用環境に起因する固定パターンノイズをＸ線画像から除去する。
【００５２】
感度補正部６６は、感度補正データに基づき、各画素４０の光電変換部４４の感度のばらつきや信号処理部５６の出力特性のばらつき等を補正する。欠陥画素補正部６７は、出荷時や定期点検時に生成される、画素４０のうち画素値が異常な欠陥画素情報に基づき、欠陥画素の画素値を周囲の正常な画素４０の画素値で線形補間する。こうした補正処理が施されたＸ線画像が、無線通信部１７やメス型コネクタ１８を介して制御装置に送信される。なお、オフセット補正用画像、感度補正データ、および欠陥画素情報は、制御部６０の図示しない内部メモリに記憶され、各種補正処理時に各補正部６５〜６７に適宜読み出される。
【００５３】
図５において、制御部６０は、医療施設の始業時にメインバッテリ１９がバッテリ装着部３６に装着されて電子カセッテ１０の主電源がオンされた場合等、バイアス電源回路５０による光電変換部４４へのバイアス電圧の印加が途絶えた場合に、画像検出部１５に撮影準備処理を行わせる。撮影準備処理は、電子カセッテ１０をＸ線撮影が可能な撮影準備完了状態とする処理で、主として光電変換部４４の動作の安定化処理（光電変換部安定化処理）と、画像検出部１５にオフセット補正用画像を検出させる処理（オフセット補正用画像検出処理）とで構成される。
【００５４】
光電変換部安定化処理は、主電源がオンされてバイアス電源回路５０による光電変換部４４へのバイアス電圧の印加が再開されてから、光電変換部４４の動作が安定化しないうちにオフセット補正用画像を検出してしまうと、必ずしも電子カセッテ１０の使用環境等を正確に反映したオフセット補正用画像が得られないため、正確なオフセット補正用画像を検出することを目的として行われる。具体的には、光電変換部安定化処理は、光電変換部４４の動作が安定化するまで、画像検出部１５を動作させず、オフセット補正用画像検出処理を禁止する処理である。光電変換部安定化処理には、例えば、撮影準備処理全体の所要時間の半分以上の時間が掛かる。
【００５５】
オフセット補正用画像検出処理は、光電変換部安定化処理後に行われる。医療施設の始業時に主電源がオンされた場合等は、以前のオフセット補正用画像の検出時と電子カセッテ１０の使用環境が変化した可能性があるため、このオフセット補正用画像検出処理が行われる。オフセット補正用画像検出処理では、オフセット補正用画像に暗電荷成分が重畳されることを防ぐために、画素リセット動作で暗電荷がリセットされてから画像読み出し動作が行われる。
【００５６】
なお、撮影準備処理には、無線通信部１７を起動して制御装置との無線通信を確立する処理や、走査回路５５、信号処理部５６、メモリ５７の初期化処理等も含まれる。こうした処理は光電変換部安定化処理と並行して行われる。
【００５７】
図６において、給電部５９は、供給元制御部７０と、タイマ７１と、充電回路７２とを備える。供給元制御部７０には、取り外し検知部６１の検知信号が入力される。供給元制御部７０は、検知信号に応じて、バイアス電源回路５０、電源回路５８等への電力の供給元を、各バッテリ１９、２０のうちのいずれかに択一的に切り替える。
【００５８】
タイマ７１は、供給元制御部７０が電力の供給元をサブバッテリ２０に切り替えてからの第２経過時間ＴＰ２（図１０および図１１参照）を計時する。すなわちタイマ７１は第２タイマに相当する。タイマ７１は、第２経過時間ＴＰ２が予め定められた第２設定時間ＴＳ２（図１０および図１１参照）に達したときに、その旨を示す通知信号を供給元制御部７０に出力する。第２設定時間ＴＳ２には、メインバッテリ１９の交換作業が開始されてから終了するまでに十分な時間（例えば５分間）が設定されている。
【００５９】
充電回路７２は、メインバッテリ１９からの電力を受けて、この電力でサブバッテリ２０を充電する。充電回路７２は、メインバッテリ１９がバッテリ装着部３６に装着されている間は作動する。充電回路７２は、サブバッテリ２０が満充電の状態となったときにサブバッテリ２０の充電を停止する。なお、図示は省略するが、充電回路７２は、メス型コネクタ１８を介して受けた制御装置からの電力で、メインバッテリ１９を充電する機能も有している。
【００６０】
図７に示すように、供給元制御部７０は、バッテリ装着部３６にメインバッテリ１９が装着されて主電源がオンされた場合、電力の供給元をメインバッテリ１９とし、メインバッテリ１９からバイアス電源回路５０、電源回路５８等に電力を供給させる。
【００６１】
また、供給元制御部７０は、メインバッテリ１９の交換作業が開始されたか否かを判定する。供給元制御部７０は、メインバッテリ１９の取り外し作業が開始されて交換作業が開始されたと判定した場合、図８に示すように、電力の供給元をメインバッテリ１９からサブバッテリ２０に切り替え、サブバッテリ２０からバイアス電源回路５０、電源回路５８等に電力を供給させる。
【００６２】
ここで、メインバッテリ１９の容量が残り少なくなり、メインバッテリ１９を交換する際には、バッテリ装着部３６の脱落防止／解除機構に対して解除操作がされ、バッテリ装着部３６からメインバッテリ１９が取り外される。そして、取り外されたメインバッテリ１９は専用の充電器（図示せず）で充電されるとともに、充電済みの別のメインバッテリ１９がバッテリ装着部３６に装着される。すなわち、メインバッテリ１９の交換作業は、バッテリ装着部３６の脱落防止／解除機構への解除操作から開始される。
【００６３】
そこで本実施形態では、バッテリ装着部３６の脱落防止／解除機構への解除操作がされた場合にメインバッテリ１９の交換作業が開始されたと供給元制御部７０で判定し、図８に示すように電力の供給元をサブバッテリ２０に切り替えさせる。このため、例えば医療施設の終業時等、電子カセッテ１０を長時間（少なくとも第２設定時間ＴＳ２よりも長い時間）使用しないときに、バッテリ装着部３６からメインバッテリ１９が取り外された場合、すなわちメインバッテリ１９の交換以外の意図でメインバッテリ１９が取り外された場合も、供給元制御部７０により図８に示すように電力の供給元がサブバッテリ２０に切り替えられる。
【００６４】
供給元制御部７０は、第２経過時間ＴＰ２が第２設定時間ＴＳ２に達するまでの間（ＴＰ２＜ＴＳ２）は図８に示すようにサブバッテリ２０からの電力の供給を継続させる。そして、第２経過時間ＴＰ２が第２設定時間ＴＳ２に達し（ＴＰ２＝ＴＳ２）、その旨を示す通知信号がタイマ７１から入力されたときに、サブバッテリ２０からの電力の供給を停止させる。また、供給元制御部７０は、サブバッテリ２０からの電力の供給を行っている間、すなわち第２経過時間ＴＰ２が第２設定時間ＴＳ２に達するまでの間に、バッテリ装着部３６にメインバッテリ１９が装着されて主電源がオンされた場合には、図７に示すように供給元をメインバッテリ１９に切り替える。
【００６５】
次に、上記構成による作用について、図９のフローチャートおよび図１０、図１１のタイミングチャートを参照して説明する。図１０は、メインバッテリ１９の交換以外の意図でメインバッテリ１９が取り外された場合、図１１は、メインバッテリ１９の交換を意図してメインバッテリ１９が取り外された場合をそれぞれ示す。なお、以下では、既にメインバッテリ１９が装着されて主電源がオンされており、メインバッテリ１９から供給される電力により各部が動作している状態から説明を始める。
【００６６】
図９ないし図１１のステップＳ１００において、供給元制御部７０は、取り外し検知部６１からの検知信号を監視し、メインバッテリ１９の交換作業（取り外し作業）が開始されたか否かを判定している。交換作業が開始されないうちは、メインバッテリ１９から各部への電力供給が継続される（ステップＳ１００でＮＯ）。
【００６７】
バッテリ装着部３６の脱落防止／解除機構に対して、オペレータにより解除操作がされると、取り外し検知部６１から供給元制御部７０に検知信号が入力される。供給元制御部７０では、検知信号を受けて、メインバッテリ１９の交換作業が開始されたと判定される（ステップＳ１００でＹＥＳ）。そして、供給元制御部７０により、電力の供給元がメインバッテリ１９からサブバッテリ２０に切り替えられる。そしてこれと同時にタイマ７１により第２経過時間ＴＰ２の計時が開始される（ステップＳ１１０）。これによりサブバッテリ２０からバイアス電源回路５０、電源回路５８等に電力が供給される（ステップＳ１２０）。
【００６８】
このサブバッテリ２０からの電力の供給は、第２経過時間ＴＰ２が第２設定時間ＴＳ２に達する前に、バッテリ装着部３６にメインバッテリ１９が装着されて主電源がオンされない場合（ステップＳ１３０、ステップＳ１４０でＮＯ）は、第２経過時間ＴＰ２が第２設定時間ＴＳ２に達するまで継続される。なおサブバッテリ２０から電力が供給され、サブバッテリ２０の容量が減った場合は、充電回路７２によりメインバッテリ１９の電力でサブバッテリ２０が充電される。
【００６９】
第２経過時間ＴＰ２が第２設定時間ＴＳ２に達した場合（ステップＳ１３０でＹＥＳ）、その旨を示す通知信号がタイマ７１から供給元制御部７０に出力される。そして、供給元制御部７０により、サブバッテリ２０からの電力の供給が停止される（ステップＳ１５０）。このため、メインバッテリ１９の交換以外の意図でメインバッテリ１９が取り外された場合等、第２経過時間ＴＰ２が第２設定時間ＴＳ２に達するまでの間に、メインバッテリ１９が装着されて主電源がオンされなかった場合には、各バッテリ１９、２０のいずれからもバイアス電源回路５０に電力が供給されなくなり、光電変換部４４へのバイアス電圧の印加が途絶える。
【００７０】
この光電変換部４４へのバイアス電圧の印加が途絶えた状態でメインバッテリ１９が装着されて主電源がオンされた場合（ステップＳ１６０でＹＥＳ）には、供給元制御部７０により、電力の供給元がサブバッテリ２０からメインバッテリ１９に切り替えられ（ステップＳ１７０）、メインバッテリ１９からバイアス電源回路５０、電源回路５８等に電力が供給される（ステップＳ１８０）。この場合は光電変換部４４へのバイアス電圧の印加が途絶えているため、制御部６０により光電変換部安定化処理とオフセット補正用画像検出処理が行われる（ステップＳ１９０、ステップＳ２００）。
【００７１】
第２経過時間ＴＰ２が第２設定時間ＴＳ２に達するまでの間に、メインバッテリ１９が装着されて主電源がオンされた場合（ステップＳ１３０でＮＯ、ステップＳ１４０でＹＥＳ）は、ステップＳ１７０およびステップＳ１８０と同様に、供給元制御部７０により電力の供給元がサブバッテリ２０からメインバッテリ１９に切り替えられ（ステップＳ２１０）、メインバッテリ１９からバイアス電源回路５０、電源回路５８等に電力が供給される（ステップＳ２２０）。
【００７２】
この場合も第２経過時間ＴＰ２が第２設定時間ＴＳ２に達し（ステップＳ１３０でＹＥＳ）、かつメインバッテリ１９が装着されて主電源がオンされた場合（Ｓ１６０でＹＥＳ）と同様に、電力の供給元がメインバッテリ１９の取り外し前のメインバッテリ１９から取り外し後のサブバッテリ２０、さらにメインバッテリ１９の装着後はサブバッテリ２０から再びメインバッテリ１９と順次切り替わるが、バイアス電源回路５０への電力の供給は各バッテリ１９、２０により継続され、光電変換部４４にはバイアス電圧が切れ目なく印加され続ける。このため、この場合は光電変換部安定化処理およびオフセット補正用画像検出処理は行われない。したがってこの場合の図１１に示す立ち上げ時間ＴＲ２は、光電変換部安定化処理およびオフセット補正用画像検出処理が行われる図１０に示す立ち上げ時間ＴＲ１と比べて大幅に短縮化される。
【００７３】
立ち上げ時間ＴＲ２が大幅に短縮化されるため、Ｘ線撮影の途中でメインバッテリ１９を交換した場合に、長時間待つことなく比較的短時間でＸ線撮影を再開することができる。したがって被写体に無用なストレスを与えることがなく、また、撮影効率を向上させることができる。
【００７４】
メインバッテリ１９の交換以外の意図でメインバッテリ１９が取り外された場合も、第２経過時間ＴＰ２が第２設定時間ＴＳ２に達するまでの間に、メインバッテリ１９が装着されて主電源がオンされた場合は、光電変換部安定化処理およびオフセット補正用画像検出処理は行われず立ち上げ時間ＴＲ２が大幅に短縮化されるので、省電力のためにこまめにメインバッテリ１９の取り外し／装着が行われた場合でも短時間でＸ線撮影を再開することができるという副次的な効果もある。
【００７５】
サブバッテリ２０は、メインバッテリ１９の交換作業の間に代替的に電力供給に使用されるものであるから、少なくともメインバッテリ１９の交換作業が開始されてから終了するまでの間の時間の電力供給が可能な容量があれば十分である。このため、メインバッテリ１９と比べてサブバッテリ２０を極めて小容量、かつ小型とすることができる。
【００７６】
メインバッテリ１９を交換する際には、当然ではあるが必ずメインバッテリ１９が取り外されるため、メインバッテリ１９の取り外し作業の開始を検知してメインバッテリ１９の交換作業の開始と判定すれば、メインバッテリ１９の交換作業の開始タイミングを見逃すことはない。
【００７７】
バッテリ装着部３６からメインバッテリ１９が取り外されてメインバッテリ１９からの電力の供給が完全に途絶えてからでは、その瞬間に電力の供給元をサブバッテリ２０に切り替えたとしても電力供給の瞬断が起こるため切替タイミングとしては遅い場合がある。本実施形態ではこうした電力供給の瞬断が起こらないように、メインバッテリ１９の取り外し作業の開始を検知し、メインバッテリ１９からの電力の供給が完全に途絶える前に電力の供給元をサブバッテリ２０に切り替えている。
【００７８】
電力の供給元をサブバッテリ２０に切り替えてからの第２経過時間ＴＰ２をタイマ７１で計時し、第２経過時間ＴＰ２が第２設定時間ＴＳ２に達した場合はサブバッテリ２０からの電力の供給を停止させるので、電力の浪費を抑えることができる。
【００７９】
なお、タイマ７１は設けなくともよい。タイマ７１を設けない場合は、サブバッテリ２０の容量がゼロになったときだけ充電回路７２でサブバッテリ２０を充電し、かつ満充電の状態から容量がゼロになるまでの時間が第２設定時間ＴＳ２と一致する容量のサブバッテリ２０を用い、サブバッテリ２０がタイマ７１の役割をすればよい。
［第２実施形態］
上記第１実施形態では、電子カセッテ１０の主電源のオン／オフとバッテリ装着部３６へのメインバッテリ１９の着脱とを連動させているが、筐体２１に主電源のオン／オフを操作する主電源スイッチを設けてもよい。
【００８０】
この場合、図１２に示すように、本実施形態では、取り外し検知部６１の検知信号に加えて、主電源スイッチ８０の操作信号を供給元制御部８１に入力するよう構成する。メインバッテリ１９を交換する際には、まず主電源スイッチ８０がオフされ、その後バッテリ装着部３６からメインバッテリ１９が取り外される。
【００８１】
また、本実施形態では、タイマ８２は、上記第１実施形態の第２経過時間ＴＰ２に加えて、主電源スイッチ８０がオフされてからの第１経過時間ＴＰ１（図１４および図１５参照）を計時する。すなわちタイマ８２は第１タイマおよび第２タイマに相当する。タイマ８２は、第１経過時間ＴＰ１が予め定められた第１設定時間ＴＳ１（図１４および図１５参照）に達したときに、その旨を示す通知信号を供給元制御部８１に出力する。なお、第１設定時間ＴＳ１には、上記第１実施形態の第２設定時間ＴＳ２と同じ時間か、第２設定時間ＴＳ２よりも短い時間が設定されている。
【００８２】
供給元制御部８１は、主電源スイッチ８０がオンされた場合、電力の供給元をメインバッテリ１９とし、メインバッテリ１９からバイアス電源回路５０、電源回路５８等に電力を供給させる。供給元制御部８１は、主電源スイッチ８０がオフされた後、第１経過時間ＴＰ１が第１設定時間ＴＳ１に達するまでの間はメインバッテリ１９からの電力の供給を継続させる。また、供給元制御部８１は、取り外し検知部６１から検知信号が入力されない場合でも、第１経過時間ＴＰ１が第１設定時間ＴＳ１に達した以降は、メインバッテリ１９からの電力の供給を停止させる。
【００８３】
さらに、第１経過時間ＴＰ１が第１設定時間ＴＳ１に達するまでの間に、取り外し検知部６１から検知信号が入力された場合、供給元制御部８１は、メインバッテリ１９の交換作業が開始されたと判定し、電力の供給元をメインバッテリ１９からサブバッテリ２０に切り替える。
【００８４】
次に、本実施形態の作用について、図１３のフローチャートおよび図１４、図１５のタイミングチャートを参照して説明する。図１４は、図１０と同様にメインバッテリ１９の交換以外の意図で主電源スイッチ８０がオフされた場合、図１５は、図１１と同様にメインバッテリ１９の交換を意図して主電源スイッチ８０がオフされた場合をそれぞれ示す。なお、図９〜図１１の説明の場合と同様に、既に主電源スイッチ８０がオンされており、メインバッテリ１９から供給される電力により各部が動作している状態から説明を始める。
【００８５】
図１３ないし図１５のステップＳ３００において、供給元制御部８１は、主電源スイッチ８０がオフされたか否かを判定している。上記第１実施形態では、メインバッテリ１９の取り外し作業が開始された場合、供給元制御部７０により、電力の供給元がメインバッテリ１９からサブバッテリ２０に切り替えられるが、本実施形態では、主電源スイッチ８０がオフされた場合（ステップＳ３００でＹＥＳ）でも、供給元制御部８１により、メインバッテリ１９からの電力の供給が継続される。そしてこれと同時にタイマ８１により第１経過時間ＴＰ１の計時が開始される。これによりメインバッテリ１９からバイアス電源回路５０、電源回路５８等に引き続き電力が供給される（ステップＳ３１０）。
【００８６】
このメインバッテリ１９からの電力の供給は、第１経過時間ＴＰ１が第１設定時間ＴＳ１に達する前に、取り外し検知部６１から検知信号が入力されない場合、つまりメインバッテリ１９の取り外し作業が開始されない場合（ステップＳ３２０、ステップＳ３３０でＮＯ）は、第１経過時間ＴＰ１が第１設定時間ＴＳ１に達するまで継続される。
【００８７】
第１経過時間ＴＰ１が第１設定時間ＴＳ１に達した場合（ステップＳ３２０でＹＥＳ）、その旨を示す通知信号がタイマ８２から供給元制御部８１に出力される。そして、供給元制御部８１により、メインバッテリ１９からの電力の供給が停止される（ステップＳ３４０）。このため、メインバッテリ１９の交換以外の意図で主電源スイッチ８０がオフされた場合等、第１経過時間ＴＰ１が第１設定時間ＴＳ１に達するまでの間に、取り外し検知部６１から検知信号が入力されない場合には、各バッテリ１９、２０のいずれからもバイアス電源回路５０に電力が供給されなくなり、光電変換部４４へのバイアス電圧の印加が途絶える。その後の処理は、主電源オンの契機がメインバッテリ１９の装着から主電源スイッチ８０のオンに変わるだけで上記第１実施形態のステップＳ１６０以降と同じであるため説明を省略する。
【００８８】
第１経過時間ＴＰ１が第１設定時間ＴＳ１に達するまでの間に、取り外し検知部６１から検知信号が入力された場合、つまりメインバッテリ１９の取り外し作業が開始された場合（ステップＳ３２０でＮＯ、ステップＳ３３０でＹＥＳ）は、上記第１実施形態のステップＳ１１０に移行する。すなわち、供給元制御部８１により電力の供給元がメインバッテリ１９からサブバッテリ２０に切り替えられ、サブバッテリ２０からバイアス電源回路５０、電源回路５８等に電力が供給される。その後の処理は、主電源オンの契機がメインバッテリ１９の装着から主電源スイッチ８０のオンに変わるだけで上記第１実施形態のステップＳ１１０以降と同じであるため説明を省略する。
【００８９】
本実施形態においても、メインバッテリ１９の交換作業中はバイアス電源回路５０への電力の供給が各バッテリ１９、２０により継続され、光電変換部４４へのバイアス電圧も切れ目なく印加され続け、主電源オン後の光電変換部安定化処理とオフセット補正用画像検出処理が不要となるので、図１５に示す立ち上げ時間ＴＲ２は、図１４に示す立ち上げ時間ＴＲ１と比べて大幅に短縮化される。
【００９０】
また、図１４に示すメインバッテリ１９の交換以外の意図で主電源スイッチ８０がオフされた場合は、サブバッテリ２０は作動しないので、メインバッテリ１９の交換以外の意図でメインバッテリ１９が取り外された場合もサブバッテリ２０が作動する上記第１実施形態と比べて、サブバッテリ２０の使用頻度を少なくすることができ、サブバッテリ２０の劣化を抑えることができる。劣化した場合にすぐに新品に交換可能なメインバッテリ１９と比べて、サブバッテリ２０は筐体２１内に設けられていて容易に交換したり修理したりできないため、サブバッテリ２０の劣化を抑えることができれば、サブバッテリ２０の交換や修理といった面倒なメンテナンスを頻繁に行う必要がなくなる。
［第３実施形態］
上記各実施形態では、メインバッテリ１９の取り外し作業が開始されたことを検知した場合に、メインバッテリ１９の交換作業が開始されたと判定しているが、上記第２実施形態のように主電源スイッチ８０を設けた場合は、主電源スイッチ８０がオフされた場合に、メインバッテリ１９の交換作業が開始されたと判定してもよい。
【００９１】
この場合、図１６に示すように、本実施形態では、供給元制御部９０には、主電源スイッチ８０の操作信号のみが入力される。取り外し検知部６１は設けられない。また、上記第１実施形態と同様にタイマ７１が用いられる。供給元制御部９０は、主電源スイッチ８０がオフされた場合にメインバッテリ１９の交換作業が開始されたと判定し、電力の供給元をサブバッテリ２０に切り替える。取り外し検知部６１を設けなくても済むので、製造コストを抑えることができる。
【００９２】
なお、本実施形態の作用は、メインバッテリ１９の交換作業開始の契機が、メインバッテリ１９の取り外し作業の開始検知から主電源スイッチ８０のオンに変わり、主電源オンの契機がメインバッテリ１９の装着から主電源スイッチ８０のオンに変わるだけで上記第１実施形態と同じであるため説明を省略する。
【００９３】
上記第２、第３実施形態のように、筐体２１に主電源スイッチ８０を設けた場合は、主電源スイッチ８０を取り付ける開口を筐体２１に形成する必要があるので、筐体２１の防水性が低下する。このため、上記第２、第３実施形態のように主電源スイッチ８０を設けるのではなく、上記第１実施形態のように電子カセッテ１０の主電源のオン／オフとバッテリ装着部３６へのメインバッテリ１９の着脱とを連動させるほうが好ましい。
【００９４】
なお、主電源スイッチとしては、上記第２、第３実施形態の主電源スイッチ８０のように筐体２１に設けた操作部材でもよいし、専用の操作部材を設けず、制御装置からのオン／オフ指令によって作動するソフトウェア的なものでもよい。
【００９５】
上記各実施形態では、走査回路５５や信号処理部５６、メモリ５７、制御部６０等の周辺電気回路に駆動電圧を供給する電源回路５８にもサブバッテリ２０から電力を供給しているが、バイアス電源回路５０にさえサブバッテリ２０から電力を供給しておけば、光電変換部安定化処理およびオフセット補正用画像検出処理を行わなくて済むため、サブバッテリ２０から電力を供給する先は、バイアス電源回路５０だけでもよい。
【００９６】
電源回路５８にもサブバッテリ２０から電力を供給すれば、立ち上げ時間ＴＲ２をより短縮化することはできるが、その分サブバッテリ２０が大容量となり大型化する。バイアス電源回路５０に供給先を絞れば、サブバッテリ２０をさらに小容量で小型のものにすることができる。
［第４実施形態］
電子カセッテ１０を、立位撮影台や臥位撮影台が設置された撮影室から、被写体がいる病室等に持ち運んで単体で使用する場合、誤って電子カセッテ１０を床に落としたり、壁にぶつけたりしてしまうことがある。このため、電子カセッテ１０には、筐体２１に与えられた衝撃をセンサで検知し、検知した衝撃が過大であった場合は、そのときのセンサ出力や時間等の履歴を記憶部に記憶したり、電子カセッテ１０が故障したおそれがある旨の警告を表示したりする機能をもつものがある。
【００９７】
電子カセッテ１０を落としたりぶつけたりするのは、電子カセッテ１０を持ち運んでいる際だけでなく、メインバッテリ１９の交換作業の際にも発生することが多い。しかし、上述のようにメインバッテリ１９の交換作業では主電源がオフされるため、もし衝撃を検知するセンサや履歴を記憶する記憶部等に電力が供給されていないと、メインバッテリ１９の交換作業中に発生した衝撃は履歴として残らなくなってしまう。そこで、本実施形態では、筐体２１に与えられた衝撃の履歴を取得する機能に駆動電圧を供給する電源回路に対しても、サブバッテリ２０から電力を供給する。
【００９８】
図１７において、本実施形態の電子カセッテには、衝撃履歴取得部９５が設けられている。電源回路９６は、上記第１実施形態の電源回路５８と同様に、走査回路５５や信号処理部５６、メモリ５７、制御部６０等の周辺電気回路に駆動電圧を供給するとともに、衝撃履歴取得部９５にも駆動電圧を供給する。すなわち電源回路９６は第３電源回路に相当する。
【００９９】
図１８において、衝撃履歴取得部９５は、衝撃検知センサ１００、記憶制御部１０１、および記憶部１０２を有する。衝撃検知センサ１００は、筐体２１に与えられた衝撃を検知する。衝撃検知センサ１００は、例えば、筐体２１の前面２２および背面２３に直交する筐体２１の厚み方向、側面２４、２５と平行な方向、および側面２６、２７と平行な方向の３軸方向の加速度を検知する３軸加速度センサである。この衝撃検知センサ１００の出力により、衝撃が与えられた方向、および衝撃の大きさを知ることができる。
【０１００】
記憶制御部１０１は、記憶部１０２への衝撃検知センサ１００の出力の記憶を制御する。記憶制御部１０１は、衝撃検知センサ１００の出力が予め定められた閾値以上であった場合に、そのときの衝撃検知センサ１００の出力や時間等の履歴を記憶部１０２に記憶させる。
【０１０１】
記憶制御部１０１は、記憶部１０２に記憶された履歴を制御部６０に出力する。制御部６０は、インジケータを通じて電子カセッテ１０が故障したおそれがある旨の警告を表示する。なお、無線通信部１７やメス型コネクタ１８を介して履歴を制御装置に送信し、制御装置のディスプレイに電子カセッテ１０が故障したおそれがある旨の警告を表示してもよい。
【０１０２】
図１９において、供給元制御部７０は、メインバッテリの交換作業が開始されたと判定した場合、電力の供給元をメインバッテリ１９からサブバッテリ２０に切り替え、サブバッテリ２０からバイアス電源回路５０、電源回路９６等に電力を供給させる。これにより、メインバッテリ１９の交換作業の際にも衝撃履歴取得部９５が作動する。したがって、メインバッテリ１９の交換作業中に発生した衝撃も履歴として残しておくことができる。
【０１０３】
上記第１実施形態の電源回路５８および上記第４実施形態の電源回路９６のように、走査回路５５、信号処理部５６、その他周辺電気回路、衝撃履歴取得部９５等に共通の電源回路を用いてもよいし、走査回路用、信号処理部用等のように各部に対して個別に電源回路を設けてもよい。
【０１０４】
上記各実施形態では、バッテリ装着部３６からメインバッテリ１９が取り外されたとき、または主電源スイッチ８０が操作されたときに主電源がオフされるようにしているが、主電源がオンされた状態で所定時間何の操作もない場合に自動的に主電源がオフされるよう構成してもよい。
【０１０５】
なお、画像検出部１５としては、上記第１実施形態のようにシンチレータ３０を光検出基板３１のＸ線入射側に配置したものに限らず、シンチレータ３０を光検出基板３１のＸ線入射側とは反対側に配置したものを用いてもよい。この場合、シンチレータ３０は、光検出基板３１を透過したＸ線を吸収して可視光を発生し、光検出基板３１は、この可視光を検出する。また、ＴＦＴ型の画像検出部を例示しているが、ＣＭＯＳ（Complementary Metal Oxide Semiconductor）型の画像検出部を用いてもよい。さらに、本発明は、Ｘ線に限らず、γ線等の他の放射線に基づいて撮影する電子カセッテにも適用することができる。
【符号の説明】
【０１０６】
１０  電子カセッテ
１５  画像検出部
１９  メインバッテリ
２０  サブバッテリ
２１  筐体
３６  バッテリ装着部
４０  画素
４４  光電変換部
４５  ＴＦＴ（スイッチング素子）
５０  バイアス電源回路
５５  走査回路（駆動回路）
５６  信号処理部
５８  電源回路（第１、第２電源回路）
６１  取り外し検知部
６５  オフセット補正部
７０、８１、９０  供給元制御部
７１  タイマ（第１タイマ）
７２  充電回路
８２  タイマ（第２タイマ）
９５  衝撃履歴取得部
９６  電源回路（第３電源回路）
１００  衝撃検知センサ
１０１  記憶制御部
１０２  記憶部
ＴＰ１、ＴＰ２  第１、第２経過時間
ＴＳ１、ＴＳ２  第１、第２設定時間
ＴＲ１、ＴＲ２  立ち上げ時間
【図１】
2018066746.tif 000003
【図２】
2018066746.tif 000004
【図３】
2018066746.tif 000005
【図４】
2018066746.tif 000006
【図５】
2018066746.tif 000007
【図６】
2018066746.tif 000008
【図７】
2018066746.tif 000009
【図８】
2018066746.tif 000010
【図９】
2018066746.tif 000011
【図１０】
2018066746.tif 000012
【図１１】
2018066746.tif 000013
【図１２】
2018066746.tif 000014
【図１３】
2018066746.tif 000015
【図１４】
2018066746.tif 000016
【図１５】
2018066746.tif 000017
【図１６】
2018066746.tif 000018
【図１７】
2018066746.tif 000019
【図１８】
2018066746.tif 000020
【図１９】
2018066746.tif 000021